(57)【特許請求の範囲】
【請求項１】
気相中に含まれる、または土壌から曝気放出した揮発性有機塩素化合物を測定する揮発性有機塩素化合物センサであって、前記揮発性有機塩素化合物を、酸化鉛に濃硫酸を含浸させた酸化分解剤を存在させている反応管内に通すことにより、前記揮発性有機塩素化合物を酸化分解して、塩化水素とした後に、温度調整室内に設けられている、反応管に接続している検知セル内へ塩化水素を導き、塩化水素を吸着するアミン系の塩化水素検知膜を塗布した水晶振動子により塩化水素濃度を検知し、その結果より揮発性有機塩素化合物濃度を測定することを特徴とする揮発性有機塩素化合物センサ。
【請求項２】
塩化水素検知膜として、Ｎ，Ｎ，Ｎ’，Ｎ’−ｔｅｔｒａｂｉｓ（２−ｈｙｄｒｏｘｙｐｒｏｐｙｌ）ｅｔｈｙｌｅｎｅｄｉａｍｉｎｅ（商品名Ｑｕａｄｒｏｌ（ＢＡＳＦ社製））を使用して高感度に測定することを特徴とする請求項１に記載の揮発性有機塩素化合物センサ。
【発明の詳細な説明】
【０００１】
【産業上の利用分野】
本発明は、揮発性有機塩素化合物を工業製品などの洗浄剤として利用する事業所において揮発性有機塩素化合物を検知し、測定することにより、作業環境測定及び周辺環境の汚染実態測定に携帯型検知器として使用することができる揮発性有機塩素化合物センサに関する。
【０００２】
【従来の技術】
従来において、有害ガスが発生する汚染現場でのガスの測定にはガス検知管方式のガスセンサが利用されている。このガスセンサは測定ガスと鋭敏に反応する検知薬剤をガラス管に充填したもので、検知管内に測定ガスを通気すると、化学反応により検知薬剤が変色する。この変色域の長さが測定ガス濃度と相関関係があるため、ガラス管に印刷してある濃度目盛りから肉眼で測定ガス濃度を読みとる。但し、測定ガスが揮発性有機塩素化合物の場合には、そのままでは検知薬剤が反応せず、検知できないため、測定ガスを検知薬剤に通気する直前に、酸化分解反応剤を充填したガラス管を直列に接続し、揮発性有機塩素化合物を参加分解し、塩化水素とした後に検知薬剤に通気している。
【０００３】
さらにその他の現場におけるガス測定センサとして、光学式のアーク紫外光分光式センサや熱イオン化式センサなどが利用されている。前者は交流アーク放電により大気中のＮ2、ＮＯXなどからの紫外線発光強度がハロゲン化合物の量により増大する特性を利用し、この紫外線発光強度を指標として濃度を測定するものである。また後者は高温のアルカリ金属付きヒーター上でハロゲン化合物が熱分解すると、そのハロゲン化合物がイオン化し、このイオン電流が濃度と比例し、このイオン電流を指標として濃度を測定するたものである。
【０００４】
【発明が解決しようとしている課題】
前記のガス検知管方式のガス測定センサでは、各検知管の測定濃度範囲に制限があるため、多くの段階の測定レンジを有するガス検知管を幾つか準備する必要がある。さらにガス検知管は不可逆反応を利用するものであるため、使い切りとなり、繰り返し測定が不可能である。また、目視により変色ゾーンを読みとるために測定精度にも限界がある。
【０００５】
さらに前記の光学式のアーク紫外光分光式センサは、測定感度、価格などに問題がある。また、前記の熱イオン化式センサはクーラーなどの構成機器から大型化と価格の問題がある。
本発明は、前記従来のガス測定センサにおける課題に鑑み、検出感度の増大、検知膜の耐久性向上、繰り返し測定、携帯型小型装置化等を同時に可能とした揮発性有機塩素化合物センサを提供することを目的とする。
【０００６】
【課題を解決する手段】
本発明では、前記の目的を達成するため、揮発性有機塩素化合物を酸化分解する酸化触媒部を前段に有し、測定形態である塩化水素に対して高感度であり、耐久性があるアミン系の検知膜を用いる水晶振動子によるガス検知手法を用いたものである。
【０００７】
すなわち、本発明による揮発性有機塩素化合物センサは、気相中または土壌から曝気放出した揮発性有機塩素化合物を測定するセンサであって、前記揮発性有機塩素化合物を反応管において酸化分解し、測定形態を塩化水素とした後に、塩化水素を吸着する塩化水素検知膜を塗布した水晶振動子により塩化水素を検知し、測定することを特徴とするものである。
【０００８】
前記の塩化水素検知膜としては、アミン系の検知膜を用いる。より具体的には、塩化水素検知膜として、例えば、Ｎ，Ｎ，Ｎ’，Ｎ’−ｔｅｔｒａｂｉｓ（２−ｈｙｄｒｏｘｙｐｒｏｐｙｌ）ｅｔｈｙｌｅｎｅ  ｄｉａｍｉｎｅ（商品名Ｑｕａｄｒｏｌ（BASF社製））であり、これを各試薬メーカーが仕入れて販売している。これをジーエルサイエンス社名入りのガスクロ分離液相として販売しているものを、購入して使用しました。
【０００９】
前記の本発明のような水晶振動子によるガス検知手法は、ガスが検知膜に対して可逆的な吸脱着反応を利用しているため、連続的な繰り返し測定が可能である。また、その測定値は電気信号から読みとるために、測定者によって読みとり値に差が生じない。しかも、水晶振動子は電気機器などに使用されている汎用品であり、それを使用した揮発性有機塩素化合物センサも携帯型の小型、低価格のものとすることができる。
【００１０】
水晶振動子によるガス検知手段としては、これまで脂質を検知膜とした水晶振動子によるガスセンサがある。しかし、この脂質を検知膜とした水晶振動子によるガスセンサでは、揮発性有機塩素化合物の濃度を直接的に検知膜との間で起こる吸脱着反応のみで測定するため、検出感度には一定の限界がある。さらに、揮発性有機塩素化合物を酸化分解剤によって酸化させて発生させた塩化水素ガスを脂質からなる検知膜で測定する場合は、塩化水素ガス自体が腐食性のガスであるため、脂質膜が浸食され、耐久性がなく、有効に検知利用しうる検知膜ではない。
これに対し、アミン系の検知膜は、塩化水素ガスに対して耐久性があり、揮発性有機塩素化合物を酸化分解剤によって酸化させて発生させた塩化水素ガスを有効に検知し、その濃度を測定することができる。
【００１１】
【発明の実施の形態】
次に、図面を参照しながら、本発明の実施の形態について、具体的且つ詳細に説明する。
図１に本発明の一実施形態による揮発性有機塩素化合物センサの概略を示す。この揮発性有機塩素化合物センサは、揮発性有機塩素化合物を酸化分解し、塩化水素ガスを発生する反応管１と、生成された塩化水素を検知し、その濃度を測定する検知セル部２とをガスの導入側とガスの導出側との間で前後に接続している。
【００１２】
反応管１には、酸化分解剤５が充填されており、そこに揮発性有機塩素化合物を通すことにより、その揮発性有機塩素化合物を酸化分解し、塩化水素ガスを発生する。反応管１に充填する酸化分解剤５としては、酸化鉛（ＰｂＯ2 ）、硫酸（Ｈ2ＳＯ4 ）等を主成分とし、好ましくは粉末状の酸化分解触媒を充填する。
【００１３】
検知セル部２は、塩化水素を主成分とするガスを吸着しやすい検知膜を水晶振動子３の表面に塗布し、管状のセルの中に組み込んだものであり、前記反応管１で生成した塩化水素ガスを吸着することにより、その塩化水素を検出し、その濃度を測定する。より具体的には、この検知セル部２は、アミン系分離剤、より具体的には、Ｎ，Ｎ，Ｎ’，Ｎ’−ｔｅｔｒａｂｉｓ（２−ｈｙｄｒｏｘｙｐｒｏｐｙｌ）ｅｔｈｙｌｅｎｅ ｄｉａｍｉｎｅ（商品名Ｑｕａｄｒｏｌ（ＢＡＳＦ社製））等の吸着剤を主成分とする材料を水晶振動子３の表面に一定の膜厚で塗布し、水晶振動子３の表面に検知膜を形成したものを収納している。さらに、収納した検知素子としての水晶振動子３の振動周波数を一定とし、且つ最適な測定温度を設定するため、加熱及び／または冷却が可能な温度制御器４を使用し、検知セル部２の内部の温度を制御する。
【００１４】
このような揮発性有機塩素化合物センサでは、揮発性有機塩素化合物を反応管１に通すことにより、その中に充填された酸化分解剤５で揮発性有機塩素化合物が酸化分解され、塩化水素ガスを発生する。この塩素ガスが検知セル部２を通過する過程で、水晶振動子３の表面に形成した検知膜に吸着され、その時の水晶振動子３の振動周波数により、塩化水素ガスをの濃度が測定される。このとき、水晶振動子３の振動周波数はその雰囲気の温度により異なるので、温度制御器４により、水晶振動子３を収納した検知セル部２の内部の温度を最適で且つ一定の温度に制御する。
【００１５】
次に、本発明のより具体的な実施例について説明する。ガスクロマト分析用分離剤（Ｎ，Ｎ，Ｎ’，Ｎ’−ｔｅｔｒａｂｉｓ（２−ｈｙｄｒｏｘｙｐｒｏｐｙｌ）ｅｔｈｙｌｅｎｅ ｄｉａｍｉｎｅ）（商品名Ｑｕａｄｒｏｌ（ＢＡＳＦ社製））の０．５％溶液にＡＴカット９〜１２ＭＨｚの水晶振動子３を浸漬し、７０℃、１２時間の乾燥処理を行い水晶振動子３の表面に検知膜を形成し、検知素子とした。
【００１６】
この検知膜を形成した水晶振動子をステンレス製の検知セル部２に組み込み、その周囲に配置した３４Ｗ容量のペルチェ素子を加熱、冷却両用の温度制御器として用いた。
さらに、この検知セル部２の前段に直径５ｍｍ×長さ１０ｍｍのガラス管からなる反応管１を接続し、この反応管１の内部に酸化分解剤５を充填した。この酸化分解剤５は粒径１００μｍの酸化鉛粉末１ｇに濃硫酸を含浸させたものを使用した。
【００１７】
このようにして構成した揮発性有機塩素化合物センサに窒素ガスを５分間、トリクロロエチレン１００ｐｐｍ標準ガスを１０分間、再びＮ2 ガスを２０分間それぞれ１００ｍｌ／ｍｉｎの流量にて流して測定した。また、比較対照のために酸化分解剤５を充填した反応管１を接続せずに、前記ガスを直接検知セル部２に通して測定した。
【００１８】
反応管１を接続しない場合は、水晶振動子３の周波数変化はないが、組み合わせた場合には０．１７ｐｐｍ／Ｈｚ（基本周波数１２ＭＨｚ、７５℃）の測定感度が繰り返し得られた。これまでに脂質膜を検知膜として用いても同様の感度が得られているが、膜の耐久性がなかった。
【００１９】
また、前記の揮発性有機塩素化合物センサにトリクロロエチレン１００ｐｐｍ標準ガスを１２００分１００ｍｌ／ｍｉｎの流量にて流して測定した。この時の時間と水晶振動子３の周波数Δｆの変化の関係を図２に示す。
なお、図３に示すように、前記の揮発性有機塩素化合物では、温度制御器４による検知セル部２の内部での測定温度の上昇と共に感度が上がり、脂質膜よりも１／２０量の塗布量で測定が可能であることを示した。
【００２０】
【発明の効果】
以上説明したように、揮発性有機塩素化合物センサは、酸化分解剤を用いて揮発性有機塩素化合物を塩化水素ガスとした後に、この塩化水素ガスに対して耐久性があり、且つ安定して吸着することができるアミン系の検知膜を表面に形成した水晶振動子により、高感度で繰り返し安定してガスの検知、測定が可能である。さらに、環境汚染現場に携行し、そこで迅速な測定をも可能とするため、分析操作の省力化、低コスト化の効果が挙げられる。
【図面の簡単な説明】
【図１】本発明の一実施形態による揮発性有機塩素化合物センサの構成を示す概念図である。
【図２】１００ｐｐｍトリクロロエチレン測定時の応答時間と周波数変化の関係の例を示すグラフである。
【図３】１００ｐｐｍトリクロロエチレン測定時の応答周波数に対する測定温度の影響の例を示すグラフである。
【符号の説明】
１  反応管
２  検知セル部
３  水晶振動子
４  温度調整器
５  酸化分解剤
【図１】
0004905752.tif 000002
【図２】
0004905752.tif 000003
【図３】
0004905752.tif 000004